(57)【要約】  【課題】一つの器具で切り餅や野菜チップスなど多種の食材を加熱調理できる電子レンジトレーを提供する。  【解決手段】食材加熱調理用の電子レンジトレーにおいて、トレー本体１の裏面側５には据え置き用の台座８を設ける一方、その表面２には複数の通口４を開口すると共に無数の凹凸部１１と該凹凸部よりも高く突出した複数の突起１２を点在配置した。【選択図】    図１
0003116210.tif 000002
【実用新案登録請求の範囲】
【請求項１】
食材加熱調理用の電子レンジトレーにおいて、トレー本体の裏面側には据え置き用の台座を設ける一方、その表面には複数の通口を開口すると共に無数の凹凸部と該凹凸部よりも高く突出した複数の突起を点在配置したことを特徴とする電子レンジトレー。
【請求項２】
前記トレー本体の表面に設けた凹凸部は、該凹凸部の表面にさらに複数の小凸部を設けたダブルエンボスで成形されていることを特徴とする請求項1記載の電子レンジトレー。
【請求項３】
前記トレー本体は複数に分割可能な分割壁面を有すると共に、該分割壁面には相対向して係合・離隔可能な係合部を設けたことを特徴とする請求項1記載の電子レンジトレー。
【考案の詳細な説明】
【技術分野】
【０００１】
本考案は、電子レンジを利用して固形化した切り餅の他ポテト・サツマイモ・かぼちゃなどの各種野菜類の食材を加熱調理するための電子レンジトレーに関する。
【背景技術】
【０００２】
従来、電子レンジを利用して固形化した切り餅を食するときは水を満たした容器内に切り餅を入れこれを電子レンジで加熱して柔らかくしたうえ食するか又は特開平１１−２０６５６１号公報（特許文献１）に示すように複数の蒸気通気用の通気孔を有する収納体内に切り餅を収納して加熱処理する方法、又は特開平１０−１３６９１９号公報（特許文献２）に示すように表面にシリコーンなどの剥離材をコーティングしたフイルムに切り餅を包み込んだうえ加熱処理して食する方法などが一般的であった。この理由は、餅類は電子レンジで加熱しすぎると膨れてその表面が容器類にくっついて離れにくくなることから上記方法が採用されている。
【０００３】
一方、ポテトやサツマイモ・かぼちゃなど各種野菜類を薄切りにしてチップス化して食するようにした食品としてはコンビニエンスストアーやスーパーマーケットで広く流通しているスナック菓子がある。ところが、これらのスナック菓子は一般に油で揚げて風味を増すために塩やコショウ或いはカレーなどの調味料を添加して販売されているものが多い。
【０００４】
ところが、前記スナック菓子は特にアレルギー体質の子供には不向きであることから多くは家庭内で前記野菜類を薄くスライスしたものを専用のチップス立て具に並べて加熱調理し自家製の野菜チップスとして食しているが、例えば細長く角切りにした棒状ステイックポテトなど角切り野菜を加熱調理するときは前記器具では調理不可能であることから、普通に用いられる食器（皿）上に直接被加熱食材を載せたり該食器上にキッチンペーパー等を敷きその上に該食材を載せたりして加熱調理しているのが実態である。
【０００５】
【特許文献１】特開平１１−２０６５６１号公報（図１  段落００１９〜段落００２８）
【０００６】
【特許文献２】特開平１０−１３６９１９号公報（図２  段落００１１〜段落００１４）
【考案の開示】
【考案が解決しようとする課題】
【０００７】
上述した如く、例えば切り餅を食する場合、従来は水を満たした容器内に該切り餅を入れて電子レンジで加熱処理するのが普通であるが、この場合加熱時間が長すぎると中の餅が容器の底部にくっついたり或いは溶けてどろどろになったりする問題点がある。
【０００８】
また、特開平１１−２０６５６１号公報に示す方法や特開平１０−１３６９１９号公報に示す方法の場合、何れも加熱時包装容器内の餅の膨れ具合が電子レンジ外からは判別し難くいちいち加熱を中断して前記包装容器内の餅の膨れ具合を見極めたうえ適正な加熱時間を選択しているが、特に子供が調理する場合には加熱時間の設定が難しく該加熱時間の長短によって餅の柔らかさ度合いの見分けが難しく失敗することが多いのが実態である。
【０００９】
一方、家庭内で電子レンジを利用して自家製の野菜チップスを調理したりステイックポテトのような細長い角切り野菜を加熱調理したりするときはその都度調理器具を変更しなければならず面倒であること。また、食器（皿）上に直接被加熱食品を載せて調理する方法では加熱時野菜から放出される水蒸気が前記食器によって拡散を遮られ特にその底部に滞留することから、見かけ上はカラリと仕上がったように見えても食品全体に湿り気が多くべっとり状態となるのが普通で市販品のように全体がパリッとした状態に仕上がらないのが実態である。そのうえ、電子レンジ内で放射されるマイクロ波も食器又はトレーによって遮られその仕上がりが不均一であるという問題点を有している。
【００１０】
そこで、本考案はかかる実態に鑑み切り餅を加熱調理する場合でも加熱度合いが電子レンジ外（窓）から容易に判別でき、しかも万一加熱により柔らかくなってトレーにくっついたとしても該トレーから容易に剥離・離脱ができること、さらに、野菜チップスやステイックポテトなど角切り野菜を加熱調理する場合でも器具を使い分けることなく一つの器具で多種の食材を加熱調理でき、しかも市販品のようにカラリと仕上がることができる電子レンジトレーを提供することを目的とする。
【課題を解決するための手段】
【００１１】
上記目的を達成するために本考案は、食材加熱調理用の電子レンジトレーにおいて、トレー本体１の裏面側５には据え置き用の台座８を設ける一方、その表面２には複数の通口４を開口すると共に無数の凹凸部１１と該凹凸部よりも高く突出した複数の突起１２を点在配置したことを特徴とする（請求項１）。
【００１２】
さらに、前記トレー本体１の表面２に設けた凹凸部１１は、該凹凸部の表面にさらに複数の小凸部１３を設けたダブルエンボスで成形するとよい（請求項２）。また、前記トレー本体１は複数に分割可能な分割壁面１７を有すると共に、該分割壁面には相対向して係合・離隔可能な係合部１４を設けることもできる（請求項３）。
【考案の効果】
【００１３】
本考案によれば、トレー本体１の表面２に突出する複数の突起１２の存在により該トレー本体の表面２と該トレー上に載置した被加熱対象物である食品Ａ間に空隙Ｂが生じ半ば食品Ａを浮かせた状態で載置することとなる。これにより、電子レンジ６から放射されるマイクロ波αもトレー本体の上方ならびにその表面２に開口する通口４から前記食品に対して満遍なく照射することとなり該食品も均一に加熱調理されると共に、食品から放出される水蒸気もその近傍の開口４から程よく拡散する（請求項１）。
【００１４】
また、トレー本体１の表面２に設けた凹凸部１１をダブルエンボス状に形成したことならびに突起１２と協働してトリプルエンボスとして作用することから、仮に加熱によって切り餅が膨れて柔らかくなったとしてもトレー本体との接触面積を極めて小さく保つことができ、万一トレー本体にくっついたとしても容易に剥離させて取り出すことができる（請求項２）。
【００１５】
さらに、トレー本体１を分割可能に構成したことにより被加熱対象物である食品Ａの大きさや量に対応してトレー本体１を分割使用できるなどトレーサイズの可変が容易である。併せて、トレー本体１を収納する場合も分割壁面１５より分割して保管することにより保管場所も小スペースで済む（請求項３）。
【考案を実施するための最良の形態】
【００１６】
トレー本体の裏面側５には据え置き用の台座８を設ける一方、その表面２には複数の通口４を開口すると共に無数の凹凸部１１と該凹凸部よりも高く突出した複数の突起１２を点在させて形成したトレー本体１上に食品Ａを載置し、この状態で電子レンジの回転テーブル７上に据え置いた後電子レンジのスイッチをＯＮして所定の時間過熱する。これにより切り餅の場合は膨らんでその表面が柔らかくなったとしてトレー本体１から容易に剥離できる。また薄切り野菜又は角切り野菜の場合は該野菜から放出する水蒸気がその近傍の通口４を介して拡散することからカラリと仕上がる。
【実施例】
【００１７】
以下、本考案の実施例を図１ないし図６により説明する。トレー本体１は例えばポリプロピレン樹脂又はその他の合成樹脂により成形され、略方形で平坦部を有した表面２にはその周縁３から適宜間隔を隔てて縦長の通口４が複数配列して開口している。また、表面２を挟んでその裏面側５には後述する電子レンジ６の回転テーブル７上（図６）に据え置き可能に台座８が一体的に設けられると共に、この台座８の周壁には複数の切り欠き９が設けられ電子レンジ６の回転テーブル７上に据え置いた場合でも該電子レンジ内で放射されるマイクロ波αがトレー本体１の裏側にも満遍なく入射しまた乱反射するようになっている。
【００１８】
一方、トレー本体１の表面２の前面には図２，図３に示す如く無数の凹凸部１１が形成されると共に、トレー本体１の周縁３から適宜間隔を隔てて前記凹凸部よりもさらに高く突設する突起１２が点在して形成されており、ここに食品Ａを載置したときに該食品とトレー表面２間に適度の空隙Ｂが保てるようになっている（図４）。
【００１９】
また、この凹凸部１１は凸部１１ａの表面にさらに小さな小凸部１３が複数突出したいわゆるダブルエンボス状に成形されており（図４）、例えば餅類のように加熱によって膨れてその表面が粘着性を増しトレー表面２に付着した場合でも該食品との接触面積を極めて小さくすることができ、よって該食品を取り出す際もトレー本体１から容易に剥離・離隔させることができる。
【００２０】
また、本実施例におけるトレー本体１は略中央部よりトレー１Ａとトレー１Ｂの如く左右に２分割可能に係合部１４が形成されており、その一方の分割壁面１５側には係合突起１６が、他方の分割壁面１７には係合凹部１８がそれぞれ相対抗する位置に設けられ相互に係合・離隔可能となっている（図５）。そして、使用に際しては被加熱対象である食品Ａの大きさや種類に対応して分割して使用することができると共に保管・収納する際も分割して収納することにより保管スペースが小さくて済むようになっている。
【００２１】
次いで本考案の作用について説明する。まず、トレー本体１上に被加熱対象となる食品Ａを並べて載せ、この状態で電子レンジ６の回転テーブル７上に据え置く（図６）。次いで電子レンジのスイッチ（図示せず）をＯＮすると電子レンジ内でマイクロ波αが放射され、その一部はトレー本体の上方から食品Ａに、また他の一部は台座８の切り欠き９から入射後回転テーブル７面に乱反射してトレー表面２に開口する通口４を介して食品Ａの下方からも該食品を照射することとなる。併せて、トレー本体１の上方からも前記通口を介して回転テーブル７に反射したマイクロ波も前記同様の作用を成すこととなる。
【００２２】
このとき、食品Ａからは加熱によって内部の水分が水蒸気となってその周囲に放出されることとなるが、トレー本体の表面２に突設した突起１２によって該トレー表面間に適度の空隙Ｂが保たれていること（図４）及び食品の殆どは突起１２の頂部である極めて狭い面積で保持されていることから、前記水蒸気はこの空隙Ｂからその近傍に開口する通口４を介して周囲に拡散する。よって蒸発した食品の水分はその下方に滞留することなく拡散するため食品Ａも湿ることなくカラリと仕上がる。
【００２３】
そして、程よく加熱が完了した後トレー本体１を取り出し加熱された食品Ａを別の食器に移して食する。このとき、例えば切り餅のように加熱によりその表面が膨れて柔らかく粘い状態となり万一トレー表面２に粘り付いたとしても該トレー本体の表面には突起１２とダブルエンボスで形成された無数の凹凸部１１がトリプルエンボスとして形成されていることから前記食品との接触部は極めて小さい面積で保持されており、よってそのまま引っ張ると容易に剥離し取り出すことができる。
【００２４】
また、例えばポテトやサツマイモ・かぼちゃのようにやや硬めの野菜の場合は、加熱の過程で反りが生じ載置した位置から滑動することがあったとしてもトレー本体の表面２に点在する複数の突起１２によってその滑動が阻止され所定の加熱が完了するまで定位置で調理される。このように本考案は一つの器具で多種の食品を加熱調理できると共に、添加剤を一切含まない自然食品として家庭内で手軽に作ることができ、よってアレルギー体質の子供はもとより大人でも健康的な食品として好適である。
【００２５】
そして、調理完了後はトレー本体１のトレー１Ａ側とトレー１Ｂ側を相反対方向に引っ張ると係合部１４の係合突起１６と係合凹部１８間の係合が解かれ分割状態となるので、この状態で所望の保管場所に保管する。よって保管スペースも小さくて済む。
【００２６】
以上、本考案の実施例について説明したが、本考案トレー本体１の形状は単に方形に限らず丸形もしくは多角形であってもよく、さらにその表面２は平坦な形状に限らず例えば皿形又はすり鉢状など加熱対象となる食品の種類や大きさに対応して各種の変形態様が可能である。併せて、トレー表面２に開口する通口４の形状も単に縦長に限らず丸型、四角型、星型など各種形状であってもよく、要するに食品から放出される水蒸気の拡散ならびに電子レンジ内におけるマイクロ波の入射可能な形状であればその形状は特に限定せず本考案の要旨の範囲において各種の変形使用が可能であることは言うまでもない。
【図面の簡単な説明】
【００２７】
【図１】本考案電子レンジトレー本体の斜視図である。
【図２】トレー本体の平面図である。
【図３】トレー本体の断面図である。
【図４】トレー本体表面の凹凸部の拡大断面図である。
【図５】トレー本体係合部の概要図である。
【図６】電子レンジによる調理時の説明図である。
【符号の説明】
【００２８】
１  トレー本体
２  表面
４  通口
６  電子レンジ
７  回転テーブル
８  台座
１１  凹凸部
１２  突起
１３  小凸部
１４  係合部
１７  分割壁面
Ａ  食品
Ｂ  空隙
【図１】
0003116210.tif 000003
【図２】
0003116210.tif 000004
【図３】
0003116210.tif 000005
【図４】
0003116210.tif 000006
【図５】
0003116210.tif 000007
【図６】
0003116210.tif 000008